(57)【特許請求の範囲】
【請求項１】
収納箱とトイレとに使用形態を変更可能な段ボール紙製の収納箱兼用簡易トイレであって、
前後左右の外側板により形成された四角筒形の胴部と、該胴部の下側開口を塞ぐ底部と、前記前後左右の外側板に夫々連設され、該前後左右の外側板との境界線上に前記胴部の内側へ折り曲げ可能な第１の折り目が形成された前後左右の天板とを備えた箱本体部と、前記箱本体部とは別体に準備された１組の段ボール紙製の便座用パーツとを有し、
前記収納箱としての形態は、前記箱本体部における前記前後左右の天板を前記第１の折り目で前記胴部の内側に折り曲げて該胴部の上側開口を塞ぐことによって形成され、
前記トイレとしての形態は、上部が開口した箱状に形成された台座部と、該台座部の上に装着された、開口を有する便座部とで形成され、
前記台座部は、前記箱本体部における前記胴部と前記底部と前記前後左右の天板とが用いられ、前記左右の天板と前記左右の外側板の上側の一部が、夫々中央部で２つに切り離され、該中央部よりも端部が高くなるように傾斜が付き且つ該端部よりも該中央部の幅が厚くなるように、夫々前記胴部の内側に折り込まれ、前記前後の天板が夫々前記胴部の内側に折り込まれて、少なくとも両側の辺縁部を介して該胴部の内側に折り込まれた前記左右の天板を固定するように構成され、
前記便座部は、前記便座用パーツが用いられ、該各便座用パーツはＵ字形状に形成された本体部と該本体部の両側端に形成された挿し込み部を有し、前記本体部が前記台座部の上に載置され、前記挿し込み部を前記左右の外側板に形成された挿し込み穴に挿し込むように構成されたことを特徴とする収納箱兼用簡易トイレ。
【請求項２】
前記左右の天板は、中央部を縦断する仮想線上に、２つに切り離し可能な第１のミシン目が形成され、
前記左右の外側板は、上側の一部における中央部を縦断する仮想線上に、前記第１のミシン目に続く第２のミシン目が形成されるとともに、該第２のミシン目の終端と該左右の外側板の上側角部近傍とを結ぶ仮想線上に、前記胴部の内側へ折り曲げ可能な第２の折り目が形成され、
前記前後の天板は、前記前後の外側板との境界線の近傍であって該境界線と平行な仮想線上に、前記胴部の内側へ折り曲げ可能な第３の折り目が形成されている
ことを特徴とする請求項１に記載の収納箱兼用簡易トイレ。
【請求項３】
前記左右の天板は、該左右の天板と前記左右の外側板の上側の一部が中央部で２つに切り離され、該中央部よりも端部が高くなるように傾斜が付き且つ該端部よりも該中央部の幅が厚くなるように、夫々前記胴部の内側に折り込まれた状態において、該左右の天板の夫々における両端部が、前記左右の外側板と前記前後の外側板との境界線に沿って折り曲げ可能な第４の折り目が形成され、
前記トイレとしての形態において、前記胴部の内側へ折り込まれた前記前後の天板が、さらに、前記左右の外側板と前記前後の外側板との境界線に沿って折り曲げられた前記左右の天板の夫々における両端部の面を、前記前後の外側板とで挟むことを特徴とする請求項１又は２に記載の収納箱兼用簡易トイレ。
【請求項４】
請求項１〜３のいずれかに記載の収納箱兼用簡易トイレの収納箱としての形態において、内部にトイレ関連用品を収納してなる収納箱兼用簡易トイレセット。
【発明の詳細な説明】
【技術分野】
【０００１】
本発明は、内部に物を収納する収納箱と用便をするためのトイレと台車の本体部とに、使用形態を変更可能な収納箱兼用簡易トイレ及び収納箱兼用簡易トイレセットに関する。
【背景技術】
【０００２】
近年、震災等の災害を経験し、震災に備える意識が高まっている。震災時には、上下水道、電気、道路等のライフラインが損なわれる場合があり、上下水道が損なわれた場合、その復旧には３〜４日程度かかることが想定されるため、食料、飲料に加えて、簡易トイレを確保することが重要となる。
従来、用いられてきた簡易トイレとして、仮設のプレハブ式トイレやおまる等がある。しかし、プレハブ式トイレは、コストが高く、設置スペースを要するため、設置場所や設置数も限られたものとなる。このため、震災等の非常時において、使用を必要とする被災者の数に対してトイレの数が不足し易い。また、おまるは、不使用時の保管にスペースをとり、使用に際しては使い心地が悪く、しかも使用後の汚物の処理が煩雑化する。そこで、近年、災害等の非常用の簡易トイレとして、大量供給が可能で、不使用時の保管スペースを有効活用でき、使用後の処理も簡単な紙製の簡易式トイレが提案されている。
【０００３】
従来、紙製の簡易トイレとしては、例えば、次の特許文献１〜３に開示されたものがある。
特許文献１に記載の簡易トイレは、例えば、図８(a)、図８(b)に示すように、前後左右の外側板からなる胴部５１と、底部５２と、前後の外側板に連設された略Ｕ字形状の天板フラップ５３Ｆ，５３Ｂと、左右の外側板に連設された天板５３Ｌ，５３Ｒを備えている。
そして、特許文献１に記載の簡易トイレでは、図８(d)に示すように、胴部５１の下側開口を底部５２で塞ぎ、内部に品物を収納した状態において、図８(e)に示すように、前後の天板フラップ５３Ｆ，５３Ｂを、収容する品物の上に被せ、次いで、図８(f)に示すように、左右の天板５３Ｌ，５３Ｒのうち一方の天板５３Ｒを前後の天板フラップ５３Ｆ，５３Ｂの上に被せ、次いで、他方の天板５３Ｌの先端縁に設けられた差込片５３Ｌ１を一方の天板５３Ｒと外側板との境界部に設けられた差込孔に差込むことにより収納箱形態を形成する（図８(g)参照）。また、収納箱形態において、図８(h)に示すように、左右の天板５３Ｌ，５３Ｒ及び前後の天板フラップ５３Ｆ，５３Ｂを開き、品物を取り出した後、図８(i)に示すように、左右の天板５３Ｌ，５３Ｒを胴部５１の内側へ折り曲げて、左右の天板５３Ｌ，５３Ｒの先端側を底部５２に支持させ、次いで、図８(j)に示すように、前後の天板フラップ５３Ｆ，５３Ｂを折り曲げて先端の差込片５３Ｆ１，５３Ｂ１を左右の天板に設けられた差込孔（符号省略）に差込むことで、便座部を形成し、次いで、前側の天板フラップ５３Ｆに形成されている突片５３Ｆ２を起立させることで金隠しを形成することによりトイレ形態を形成する（図８(k)参照）。このように、特許文献１に記載の簡易トイレは、収納箱形態とトイレ形態とを選択的に変更可能に構成されている。
【０００４】
また、特許文献２に記載の簡易トイレは、例えば、図９に示すように、板状体に複数の折り目形成線を形成し、折り目形成線又は折り目形成線と板状体の周辺に囲まれる領域を、折り目形成線を境に折り返して立体に形成しうる本体６１を備え（図９(a)参照）、本体６１の上面には孔６２及び蓋体６３ａ，６３ｂを形成して便座壁６４ａ，６４ｂの役を担わせたアーチ型簡易トイレ形状（図９(b)参照）を形成するように構成されている。
【０００５】
また、特許文献３に記載の簡易トイレは、例えば、図１０に示すように、一枚の板紙を打ち抜き成形するように形成された折り畳み式簡易便器であって、互いに相対峙する前後一対の側壁７０Ｌ，７０Ｒ，７１Ｌ，７１Ｒと左右一対の側壁７２Ｌ，７２Ｒとを有する筒型の胴体７３を、少なくとも２つの上下方向折り目に沿って折り畳んだものと、左右一対の側壁７２Ｌ，７２Ｒの各々の上縁に設けた横方向折り目を介して夫々の側壁から上方に連続的に延長する左右一対の折り曲げ可能な中央開口付き便座形成パネル７４Ｌ，７４Ｒとを備え（図１０(a)参照）、組立てに際し左右一対の便座形成パネル７４Ｌ，７４Ｒの各々を横方向折り目に沿って相対峙する側壁の方に水平に折り曲げたときに夫々の便座形成パネル７４Ｌ，７４Ｒが左右の側壁７２Ｌ，７２Ｒを架橋するように構成されている（図１０(b)参照）。
【先行技術文献】
【特許文献】
【０００６】
【特許文献１】特許第４８０５２０７号公報
【特許文献２】特開平１０−１９２１８９号公報
【特許文献３】特開２００３−１９０８７号公報
【発明の概要】
【発明が解決しようとする課題】
【０００７】
ところで、紙製の簡易トイレは、陶器製のトイレやプラスチック製のおまるに比べて、耐加重性が弱く、便座に座るとぐらついて、座り心地が悪くなり易いといった課題がある。便座のぐらつきを抑え、座り心地を良くするには、便座部を臀部がフィットし易い形状に形成することが望まれる。
しかるに、特許文献１に記載の簡易トイレは、トイレとしての形態において便座部の面が平坦であるため、臀部を便座部にフィットさせることが難しい。
【０００８】
一方、特許文献２、３に記載の簡易トイレは、トイレとしての形態において便座部は、中央部が両端部に比べて低くなるように傾斜が設けられている。
しかし、特許文献２、３に記載の簡易トイレは、トイレとして使用しない場合は、板状に折り畳まれた形態で保管されるように構成されており、内部に物資を収納することができない。また、特許文献２、３に記載の簡易トイレは、板状の形態から展開して組み立て状態では、上部が開口し、しかも、上部の面は中央部が両端部に比べて低くなるように傾斜して、平坦にはならないため、内部に物資を収容する箱として用いようとしても、物資が外部に出てしまい易く保管に適さず、しかも複数段積み重ねることができず、輸送にも適さない。
【０００９】
このように、紙製の簡易トイレにおいて便座部に傾斜を持たせると、収納箱としての機能が損なわれ、一方、便座部を平坦にすると座り心地が悪くなる。このため、従来の紙製の簡易トイレには、内部に物資を収容し、保管、輸送に適した収納箱としての形態と、用便を行うためのトイレとしての形態とに変更でき、且つ、トイレとしての形態で使用する際に、座り心地良く使用できるものが存在しなかった。
【００１０】
本発明は上記従来の課題に鑑みてなされたものであり、紙製の簡易トイレにおいて、内部に物資を収容し、保管、輸送に適した収納箱としての形態と、用便を行うためのトイレとしての形態とに変更でき、且つ、トイレとしての形態で使用する際に、座り心地を良くすることが可能で、しかも、座り心地の良い状態を安定的に維持可能な収納箱兼用簡易トイレ及び収納箱兼用簡易トイレセットを提供することを目的としている。
【課題を解決するための手段】
【００１１】
上記の目的を達成するために、本発明による収納箱兼用簡易トイレは、収納箱とトイレとに使用形態を変更可能な段ボール紙製の収納箱兼用簡易トイレであって、前後左右の外側板により形成された四角筒形の胴部と、該胴部の下側開口を塞ぐ底部と、前記前後左右の外側板に夫々連設され、該前後左右の外側板との境界線上に前記胴部の内側へ折り曲げ可能な第１の折り目が形成された前後左右の天板とを備えた箱本体部と、前記箱本体部とは別体に準備された１組の段ボール紙製の便座用パーツとを有し、前記収納箱としての形態は、前記箱本体部における前記前後左右の天板を前記第１の折り目で前記胴部の内側に折り曲げて該胴部の上側開口を塞ぐことによって形成され、前記トイレとしての形態は、上部が開口した箱状に形成された台座部と、該台座部の上に装着された、開口を有する便座部とで形成され、前記台座部は、前記箱本体部における前記胴部と前記底部と前記前後左右の天板とが用いられ、前記左右の天板と前記左右の外側板の上側の一部が、夫々中央部で２つに切り離され、該中央部よりも端部が高くなるように傾斜が付き且つ該端部よりも該中央部の幅が厚くなるように、夫々前記胴部の内側に折り込まれ、前記前後の天板が夫々前記胴部の内側に折り込まれて、少なくとも両側の辺縁部を介して該胴部の内側に折り込まれた前記左右の天板を固定するように構成され、前記便座部は、前記便座用パーツが用いられ、該各便座用パーツはＵ字形状に形成された便座本体部と該便座本体部の両側端に形成された挿し込み部を有し、前記便座本体部が前記台座部の上に載置され、前記挿し込み部を前記左右の外側板に形成された挿し込み穴に挿し込むように構成されたことを特徴としている。
【００１２】
また、本発明の収納箱兼用簡易トイレにおいては、前記左右の天板は、中央部を縦断する仮想線上に、２つに切り離し可能な第１のミシン目が形成され、前記左右の外側板は、上側の一部における中央部を縦断する仮想線上に、前記第１のミシン目に続く第２のミシン目が形成されるとともに、該第２のミシン目の終端と該左右の外側板の上側角部近傍とを結ぶ仮想線上に、前記胴部の内側へ折り曲げ可能な第２の折り目が形成され、前記前後の天板は、前記前後の外側板との境界線の近傍であって該境界線と平行な仮想線上に、前記胴部の内側へ折り曲げ可能な第３の折り目が形成されているのが好ましい。
【００１３】
また、本発明の収納箱兼用簡易トイレにおいては、前記左右の天板は、該左右の天板と前記左右の外側板の上側の一部が中央部で２つに切り離され、該中央部よりも端部が高くなるように傾斜が付き且つ該端部よりも該中央部の幅が厚くなるように、夫々前記胴部の内側に折り込まれた状態において、該左右の天板の夫々における両端部が、前記左右の外側板と前記前後の外側板との境界線に沿って折り曲げ可能な第４の折り目が形成され、前記トイレとしての形態において、前記胴部の内側へ折り込まれた前記前後の天板が、さらに、前記左右の外側板と前記前後の外側板との境界線に沿って折り曲げられた前記左右の天板の夫々における両端部の面を、前記前後の外側板とで挟むのが好ましい。
【００１４】
また、本発明による収納箱兼用簡易トイレセットは、上記本発明のいずれかの収納箱兼用簡易トイレの収納箱としての形態において、内部にトイレ関連用品を収納してなることを特徴としている。
【発明の効果】
【００１５】
本発明によれば、紙製の簡易トイレにおいて、内部に物資を収容し、保管、輸送に適した収納箱としての形態と、用便を行うためのトイレとしての形態とに変更でき、且つ、トイレとしての形態で使用する際に、座り心地を良くすることが可能で、しかも、座り心地の良い状態を安定的に維持可能な収納箱兼用簡易トイレ及び収納箱兼用簡易トイレセットが得られる。
【図面の簡単な説明】
【００１６】
【図１】本発明の第１実施形態にかかる収納箱兼用簡易トイレにおけるトイレ形態の外観を概略的に示す斜視図である。
【図２】第１実施形態の収納箱兼用簡易トイレにおける収納箱形態の外観を概略的に示す斜視図である。
【図３】第１実施形態の収納箱兼用簡易トイレにおける箱本体部の展開図である。
【図４】第１実施形態の収納箱兼用簡易トイレにおける便座部を構成する便座パーツの展開図である。
【図５】第１実施形態の収納箱兼用簡易トイレにおける収納箱形態からトイレ形態へ形態を変更する手順を示す説明図である。
【図６】第１実施形態の収納箱兼用簡易トイレの台座部における胴部の内側に折り込んだ左右の天板を、前後の天板を胴部の内側に折り込んで固定した状態を、左右の天板を正面にして示す斜視図である。
【図７】第１実施形態の収納箱兼用簡易トイレの台座部における胴部の内側に折り込んだ左右の天板を、前後の天板を胴部の内側に折り込んで固定した状態を、上方から示す斜視図である。
【図８】一従来例にかかる簡易トイレの収納箱形態及びトイレ形態を示す説明図で、(a)〜(g)は収納箱形態への組立て手順を示す図、(h)〜(k)は収納箱形態からトイレ形態への形態変更手順を示す図である。
【図９】他の従来例にかかる簡易トイレの説明図で、(a)は展開図、(b)は組み立てた状態を示す図である。
【図１０】さらに他の従来例にかかる簡易トイレの説明図で、(a)は展開図、(b)は組み立てた状態を示す図である。
【発明を実施するための形態】
【００１７】
実施形態の説明に先立ち、本発明の作用効果について説明する。
本発明の収納箱兼用簡易トイレは、収納箱とトイレとに使用形態を変更可能な段ボール紙製の収納箱兼用簡易トイレであって、収納箱としての形態は、前後左右の外側板により形成された四角筒形の胴部と、胴部の下側開口を塞ぐ底部と、前後左右の外側板に夫々連設され、前後左右の外側板との境界線上に胴部の内側へ折り曲げ可能な第１の折り目が形成された前後左右の天板とを備えた箱本体部と、箱本体部とは別体に準備された１組の段ボール紙製の便座用パーツとを有し、収納箱としての形態は、箱本体部における前後左右の天板を第１の折り目で胴部の内側に折り曲げて胴部の上側開口を塞ぐことによって形成され、トイレとしての形態は、上部が開口した箱状に形成された台座部と、台座部の上に装着された、開口を有する便座部とで形成され、台座部は、収納箱としての形態における胴部と底部と前後左右の天板とが用いられ、左右の天板と左右の外側板の上側の一部が、夫々中央部で２つに切り離され、中央部よりも端部が高くなるように傾斜が付き且つ端部よりも中央部の幅が厚くなるように、夫々胴部の内側に折り込まれ、前後の天板が夫々胴部の内側に折り込まれて、少なくとも両側の辺縁部を介して胴部の内側に折り込まれた左右の天板を固定するように構成され、便座部は、便座用パーツが用いられ、各便座用パーツはＵ字形状に形成された便座本体部と便座本体部の両側端に形成された挿し込み部を有し、便座本体部が台座部の上に載置され、挿し込み部を左右の外側板に形成された挿し込み穴に挿し込むように構成されている。
【００１８】
本発明の収納箱兼用簡易トイレのように構成すれば、左右の天板と左右の外側板の上側の一部を切り離さず、左右の天板と左右の外側板を第１の折り目に沿って折り込んで胴部の上部開口を塞ぐことによって、内部に物資を収納でき、輸送、積み重ねが可能な収納箱としての形態を形成でき、また、左右の天板と左右の外側板の上側の一部を中央部で２つに切り離し、中央部よりも端部が高くなるように傾斜が付き且つ端部よりも中央部の幅が厚くなるように、夫々胴部の内側に折り込むことで、便座用パーツを装着したときに、着座部位が深く凹んだ、座り心地のよい便座部を形成したトイレ形態を形成できる。
また、本発明の収納箱兼用簡易トイレのように、前後の天板が夫々胴部の内側に折り込まれて、少なくとも両側の辺縁部を介して胴部の内側に折り込まれた左右の天板を固定するように構成すれば、着座部位が深く凹んだ、座り心地のよい便座部を形成するように、中央部よりも端部が高くなるように傾斜が付き且つ端部よりも中央部の幅が厚くなるように、夫々胴部の内側に折り込んだときの状態が安定する。
その結果、紙製の簡易トイレにおいて、内部に物資を収容し、保管、輸送に適した収納箱としての形態と、用便を行うためのトイレとしての形態とに変更でき、且つ、トイレとしての形態で使用する際に、座り心地を良くすることが可能で、しかも、座り心地の良い状態を安定的に維持可能となる。
【００１９】
また、本発明の収納箱兼用簡易トイレにおいては、好ましくは、左右の天板は、中央部を縦断する仮想線上に、２つに切り離し可能な第１のミシン目が形成され、左右の外側板は、上側の一部における中央部を縦断する仮想線上に、第１のミシン目に続く第２のミシン目が形成されるとともに、第２のミシン目の終端と左右の外側板の上側角部近傍とを結ぶ仮想線上に、胴部の内側へ折り曲げ可能な第２の折り目が形成され、前後の天板は、前後の外側板との境界線の近傍であって境界線と平行な仮想線上に、胴部の内側へ折り曲げ可能な第３の折り目が形成されている。
左右の天板に、中央部を縦断する仮想線上に、２つに切り離し可能な第１のミシン目を形成し、左右の外側板に、上側の一部における中央部を縦断する仮想線上に、第１のミシン目に続く第２のミシン目を形成するとともに、第２のミシン目の終端と左右の外側板の上側角部近傍とを結ぶ仮想線上に、胴部の内側へ折り曲げ可能な第２の折り目を形成すれば、左右の天板と左右の外側板の上側の一部を、夫々中央部で２つに切り離し、中央部よりも端部が高くなるように傾斜が付き且つ端部よりも中央部の幅が厚くなるように、夫々胴部の内側に、第１の折り目と第２の折り目とで２段階に折り込むことを具現化できる。
また、前後の天板に、前後の外側板との境界線の近傍であって境界線と平行な仮想線上に、胴部の内側へ折り曲げ可能な第３の折り目を形成すれば、前後の天板を、夫々胴部の内側に、第１の折り目と第３の折り目とで２段階に折り込んで、台座部における便座パーツを載置する面を確保できるとともに、少なくとも両側の辺縁部を介して、胴部の内側に折り込まれた左右の天板を固定することを具現化できる。
【００２０】
また、本発明の収納箱兼用簡易トイレにおいては、好ましくは、左右の天板は、左右の天板と左右の外側板の上側の一部が中央部で２つに切り離され、中央部よりも端部が高くなるように傾斜が付き且つ端部よりも中央部の幅が厚くなるように、夫々胴部の内側に折り込まれた状態において、左右の天板の夫々における両端部が、左右の外側板と前後の外側板との境界線に沿って折り曲げ可能な第４の折り目が形成され、トイレとしての形態において、胴部の内側へ折り込まれた前後の天板が、さらに、左右の外側板と前後の外側板との境界線に沿って折り曲げられた左右の天板の夫々における両端部の面を、前後の外側板とで挟むように構成する。
左右の天板に、左右の天板と左右の外側板の上側の一部が中央部で２つに切り離し、中央部よりも端部が高くなるように傾斜が付き且つ端部よりも中央部の幅が厚くなるように、夫々胴部の内側に折り込んだ状態において、左右の天板の夫々における両端部が、左右の外側板と前後の外側板との境界線に沿って折り曲げ可能な第４の折り目を形成すれば、左右の天板を胴部の内側へ折り込んだときに、第４の折り目で左右の外側板と前後の外側板との境界線に沿って折り曲げることで、左右の天板の端部の前後の天板との干渉を回避でき、左右の天板を胴部の内側へ折り込み易くなるとともに、胴部の内側へ折り込まれた前後の天板が、左右の外側板と前後の外側板との境界線に沿って折り曲げられた左右の天板の夫々における両端部の面を、前後の外側板とで挟むことで、左右の天板の夫々における両端部の面が前後の天板で保持され、前後の天板の両側の辺縁部によって胴部の内側に折り込まれた左右の天板が固定されるのと相俟って、より一層、着座部位が深く凹んだ、座り心地のよい便座部を形成するように、中央部よりも端部が高くなるように傾斜が付き且つ端部よりも中央部の幅が厚くなるように、夫々胴部の内側に折り込んだ状態を安定させることができる。
【００２１】
また、本発明の収納箱兼用簡易トイレセットは、上記本発明のいずれかの収納箱兼用簡易トイレの収納箱としての形態において、内部にトイレ関連用品を収納する。
このようにすれば、保管、輸送を行うための収納箱としての形態から、トイレとしての形態に変更して使用する際に、例えば、トイレの便座内の開口部に装着するための排泄物収納袋、排泄物を固化する薬剤、消臭剤、トイレットペーバー等、簡易トイレとともに使用することが必要となる物資を、別途、探すことなく、収納箱の内部から取り出して、すぐに使用することができる。
なお、本発明の収納箱簡易トイレにおいては、収納箱としての形態において、上記のようなトイレ間連用品に限らず、非常時において使用が求められる、保存食料、飲料水、電灯、ラジオ等の物資を収納しても勿論よい。
更には、日常一般の物資の収納に使用する段ボールを、本発明の収納箱簡易トイレとして構成してもよい。このようにすれば、非常時であるか否かにかかわらず、随時、容易に簡易トイレを得ることが可能となり、災害時に使用することが求められる簡易トイレを、意識することなく備蓄することができるようになる。
【００２２】
以下、本発明の実施形態について、図面を用いて説明する。
第１実施形態
図１は本発明の第１実施形態にかかる収納箱兼用簡易トイレにおけるトイレ形態の外観を概略的に示す斜視図である。図２は第１実施形態の収納箱兼用簡易トイレにおける収納箱形態の外観を概略的に示す斜視図である。図３は第１実施形態の収納箱兼用簡易トイレにおける箱本体部の展開図である。図４は第１実施形態の収納箱兼用簡易トイレにおける便座部を構成する便座パーツの展開図である。図５は第１実施形態の収納箱兼用簡易トイレにおける収納箱形態からトイレ形態へ形態を変更する手順を示す説明図である。図６は第１実施形態の収納箱兼用簡易トイレの台座部における胴部の内側に折り込んだ左右の天板を、前後の天板を胴部の内側に折り込んで固定した状態を、左右の天板を正面にして示す斜視図である。図７は第１実施形態の収納箱兼用簡易トイレの台座部における胴部の内側に折り込んだ左右の天板を、前後の天板を胴部の内側に折り込んで固定した状態を、上方から示す斜視図である。
【００２３】
第１実施形態の収納箱兼用簡易トイレ１は、図１に示すトイレと図２に示す収納箱とに使用形態を変更可能な段ボール紙製の収納箱兼用簡易トイレであり、箱本体部１０と、箱本体部１０とは別体に準備された便座用パーツ２１とを有して構成されている。
箱本体部１０は、図３に示す前後左右の外側板１１Ｆ，１１Ｂ，１１Ｌ，１１Ｒを折り曲げることにより形成された四角筒形の胴部１１と、胴部１１の下側開口を塞ぐ底部１２と、前後左右の外側板１１Ｆ，１１Ｂ，１１Ｌ，１１Ｒに夫々連設され、前後左右の外側板との境界線上に胴部の内側へ折り曲げ可能な第１の折り目Ｆ１Ｆ，Ｆ１Ｂ，Ｆ１Ｌ，Ｆ１Ｒが形成された前後左右の天板１３Ｆ，１３Ｂ，１３Ｌ，１３Ｒとを備えて構成されている。なお、第１実施形態では、底部１２は、図３に示す前後左右の底板１２Ｆ，１２Ｂ，１２Ｌ，１２Ｒを胴部１１の内側に折り曲げることによって形成されている。なお、図３中、１１Ｘは、四角筒形の胴部１１を形成する際に、図示しない接着剤等を介して後側の外側板１１Ｒに接合させるための、右側の外側板１３Ｒに連設する接合部である。
【００２４】
左右の外側板１１，１１Ｒには、上側の一部における中央部を縦断する仮想線上に、後述する第１のミシン目Ｍ１Ｌ，Ｍ１Ｒに続く第２のミシン目Ｍ２Ｌ，Ｍ２Ｒが形成されるとともに、第２のミシン目Ｍ２Ｌ，Ｍ２Ｒの終端と左右の外側板１１Ｌ，１１Ｒの上側角部近傍とを結ぶ仮想線上に、胴部１１の内側へ折り曲げ可能な第２の折り目Ｆ２ＬＦ，Ｆ２ＬＢ，Ｆ２ＲＦ，Ｆ２ＲＢが形成されている。
また、左右の外側板１１Ｌ，１１Ｒには、後述する便座用パーツ２１の挿し込み部２１ｂを挿し込み可能な挿し込み穴ＨＬＦ，ＨＬＢ，ＨＲＦ，ＨＲＢが形成されている。
前後の天板１３Ｆ，１３Ｂには、前後の外側板１１Ｆ，１１Ｂとの境界線の近傍であって境界線と平行な仮想線上に、胴部１１の内側へ折り曲げ可能な第３の折り目Ｆ３Ｆ，Ｆ３Ｂが形成されている。
左右の天板１３Ｌ，１３Ｒには、中央部を縦断する仮想線上に、２つに切り離し可能な第１のミシン目Ｍ１Ｌ，Ｍ１Ｒが形成されている。
また、左右の天板１３Ｌ，１３Ｒには、左右の天板１３Ｌ，１３Ｒと左右の外側板１１Ｌ，１１Ｒの上側の一部が中央部で２つに切り離され、中央部よりも端部が高くなるように傾斜が付き且つ端部よりも中央部の幅が厚くなるように、夫々胴部１１の内側に折り込まれた状態において、左右の天板１３Ｌ，１３Ｒの夫々における両端部が、左右の外側板１１Ｌ，１１Ｒと前後の外側板１１Ｆ，１１Ｂとの境界線に沿って折り曲げ可能な第４の折り目Ｆ４ＬＦ，Ｆ４ＬＢ，Ｆ４ＲＦ，Ｆ４ＲＢが形成されている。
【００２５】
各便座用パーツ２１は、図４に示すように、Ｕ字形状に形成された便座本体部２１ａと、便座本体部２１ａの両側端に形成された挿し込み部２１ｂを有している。図４中、２１ｃは、便座本体部２１ａの側部である。便座本体部２１ａと側部２１ｃとの境界上には、側部２１ｃを紙面の奥側へ折り曲げ可能な折り目（符号省略）が、また、側部２１ｃと挿し込み部２１ｂとの境界線上には、挿し込み部２１ｂを紙面の奥側へ折り曲げ可能な折り目（符号省略）が、夫々形成されている。
【００２６】
そして、第１実施形態の収納箱兼用簡易トイレでは、収納箱としての形態は、図２に示すように、箱本体部１０における前後左右の天板１３Ｆ，１３Ｂ，１３Ｌ，１３Ｒを第１の折り目Ｆ１Ｆ，Ｆ１Ｂ，Ｆ１Ｌ，Ｆ１Ｒに沿って胴部１１の内側へ折り曲げて胴部１１の上側開口を塞ぐことによって形成されるように構成されている。なお、収納箱の内部には、物資とともに、好ましくは、一組の便座用パーツ２１を収納する。収納箱の内部に一組の便座用パーツ２１を収納しておけば、トイレとしての形態を形成する場合に、別途、便座用パーツを準備する手間が省ける。
【００２７】
また、トイレとしての形態は、図１に示すように、上部が開口した箱状に形成された台座部１５と、台座部１５の上に装着された、開口を有する便座部２０とを備えて形成されるように構成されている。
台座部１５は、図２に示す箱本体部１０における胴部１１と、底部１２と、前後左右の天板１３Ｆ，１３Ｂ，１３Ｌ，１３Ｒとが用いられている。
そして、トイレとしての形態では、図３に示す左右の天板１３Ｌ，１３Ｒと左右の外側板１１Ｌ，１１Ｒの上側の一部が、夫々中央部で２つに切り離され、中央部よりも端部が高くなるように傾斜が付き且つ端部よりも中央部の幅が厚くなるように、夫々胴部１１の内側に折り込まれ、前後の天板１３Ｆ，１３Ｂが夫々胴部１１の内側に折り込まれて、両側の辺縁部１３ＦＥ，１３ＢＥを介して胴部１１の内側に折り込まれた左右の天板１３Ｌ，１３Ｒの表面に圧接するとともに、左右の外側板１１Ｌ，１１Ｒと前後の外側板１１Ｆ，１１Ｂとの境界線に沿って折り曲げられた左右の天板１３Ｌ，１３Ｒの夫々における両端部の面を、前後の外側板１１Ｆ，１１Ｂとで挟むことにより、左右の天板１３Ｌ，１３Ｒを固定するように構成されている。
【００２８】
便座部２０は、図４に示した便座用パーツ２１で構成されている。そして、便座用パーツ２１の便座本体部２１ａを台座部１５の上に載置し、挿し込み部２１ｂを左右の外側板１１Ｌ，１１Ｒに形成された挿し込み穴ＨＬＦ，ＨＬＢ，ＨＲＦ，ＨＲＢに挿し込むことで、台座部１５の上に装着されるように構成されている。
【００２９】
このように構成された第１実施形態の収納箱兼用簡易トイレの使用形態を、図５を用いて説明する。
まず、収納箱として使用する場合は、胴部１１の内部に物資を収納し、前後左右の天板１３Ｆ，１３Ｂ，１３Ｌ，１３Ｒを夫々第１の折り目に沿って胴部１１の内側に折り曲げて、胴部１１の上部開口を塞ぐ。これにより、物資の輸送、積み重ね、保管が可能となる。図５(a)はそのときの状態を示している。
【００３０】
また、トイレとして使用する場合は、まず、図５(a)に示した収納箱の前後左右の天板１３Ｆ，１３Ｂ，１３Ｌ，１３Ｒを開き、胴部１１の内部に収納された物資を取り出した後、図５(b)に示すように、左右の天板１３Ｌ，１３Ｒと左右の外側板１１Ｆ，１１Ｒの上側の一部を、夫々中央部に形成された第１のミシン目Ｍ１Ｌ，Ｍ１Ｒ、第２のミシン目Ｍ２Ｌ，Ｍ２Ｒに沿って２つに切り離す。
次に、図５(c)に示すように、左右の外側板１１，１１Ｒにおける２つに切り離された上側の一部を第２の折り目Ｆ２ＬＦ，Ｆ２ＬＢ，Ｆ２ＲＦ，Ｆ２ＲＢに沿って胴部１１の内側へ折り曲げるとともに、左右の天板１３Ｌ，１３Ｒを第１の折り目Ｆ１Ｌ，Ｆ１Ｒに沿って胴部１１の内側へ折り曲げる。これにより、２つに切り離された左右の天板１３Ｌ，１３Ｒと左右の外側板１１Ｌ，１１Ｒの上側の一部が中央部よりも端部が高くなるように傾斜が付き且つ端部よりも中央部の幅が厚くなるように、便座本体部２１ａを載置する面を形成して、夫々胴部１１の内側に折り込まれる。
また、胴部１１の内側へ折り込む際に、左右の天板１３Ｌ，１３Ｒの夫々における両端部を、第４の折り目Ｆ４ＬＦ，Ｆ４ＬＢ，Ｆ４ＲＦ，Ｆ４ＲＢに沿って折り曲げる。
次に、前後の天板１３Ｆ，１３Ｂを、第３の折り目Ｆ３Ｆ，Ｆ３Ｂに沿って胴部１１の内側へ折り曲げるとともに、第１の折り目Ｆ１Ｆ，Ｆ１Ｂに沿って胴部１１の内側へ折り曲げる。これにより、前後の天板１３Ｆ，１３Ｂは、胴部１１の内側に折り込まれ、両側の辺縁部１３ＦＥ，１３ＢＥを介して、胴部１１の内側に折り込まれた左右の天板１３Ｌ，１３Ｒの表面に圧接するとともに、左右の外側板１１Ｌ，１１Ｒと前後の外側板１１Ｆ，１１Ｂとの境界線に沿って折り曲げられた左右の天板１３Ｌ，１３Ｒの夫々における両端部の面を、前後の外側板１１Ｆ，１１Ｂとで挟み、左右の天板１３Ｌ，１３Ｒを固定する。
これにより、トイレの台座部１５が完成する。図６、図７は完成した台座部を示している。
【００３１】
次に、図４に示した便座用パーツ２１の側部２１ｃを、折り目に沿って紙面の奥側へ折り曲げ、図５(d)に示すように、便座本体部１５ａを台座部１５の上面に載置し、挿し込み部２１ｂを左右の外側板１１Ｌ，１１Ｒに形成された挿し込み穴ＨＬＦ，ＨＬＢ，ＨＲＦ，ＨＲＢに挿し込み、台座部１５の上に装着する。
これにより、図５(e)に示すように、トイレの形態が完成する。
なお、実際のトイレ使用時には、図５(e)に示すトイレの形態に形成した本実施形態の簡易トイレに、さらに、例えば、吸水性物質等を入れた排泄物収納袋（不図示）を便座部２０の開口部から内部に入れるとともに、袋の開口端近傍を折り返して便座部２０を覆うようにするのが好ましい。
【００３２】
なお、簡易トイレとしての役目を果たし終えた後は、上記の排泄物収納袋の開口を縛る。次いで、便座パーツ２１を台座部１５から取り外すとともに、排泄物収納袋を台座部１５から一旦取り出す。次いで、胴部１１の内側へ折り込まれていた前後の天板１３Ｆ，１３Ｂ、左右の天板１３ＬＦ，１３ＬＢ，１３ＲＦ，１３ＲＢ及び左右の外側板１１Ｌ，１１Ｒにおける上側の一部を拡げ、図５(b)に示した状態に復帰させる。次いで、排泄物収納袋を便座パーツ２１とともに胴部１１の内部に収納し、箱本体部１０における前後左右の天板１３Ｆ，１３Ｂ，１３Ｌ，１３Ｒを第１の折り目Ｆ１Ｆ，Ｆ１Ｂ，Ｆ１Ｌ，Ｆ１Ｒに沿って胴部１１の内側へ折り曲げて胴部１１の上側開口を塞ぐ。これにより、使用済みの汚物を、外部を汚染することなく、保管、収納した状態で、汚物処理施設まで運搬できる。
【００３３】
本実施形態の収納箱兼用簡易トイレによれば、左右の天板１３Ｌ，１３Ｒと左右の外側板１１Ｌ，１１Ｒの上側の一部を切り離さず、左右の天板１３Ｌ，１３Ｒと左右の外側板１１Ｌ，１１Ｒを第１の折り目Ｆ１Ｌ，Ｆ１Ｒに沿って折り込んで胴部１１の上部開口を塞ぐことによって、内部に物資を収納でき、輸送、積み重ねが可能な収納箱としての形態を形成でき、また、左右の天板１３Ｌ，１３Ｒと左右の外側板１１Ｌ，１１Ｒの上側の一部を中央部で２つに切り離し、中央部よりも端部が高くなるように傾斜が付き且つ端部よりも中央部の幅が厚くなるように、夫々胴部１１の内側に折り込むことで、便座用パーツ２１を装着したときに、着座部位が深く凹んだ、座り心地のよい便座部２０を形成したトイレ形態を形成できる。
また、本実施形態の収納箱兼用簡易トイレによれば、前後の天板１３Ｆ，１３Ｂを夫々胴部１１の内側に折り込んで、両側の辺縁部１３ＦＥ，１３ＢＥを介して胴部１１の内側に折り込まれた左右の天板１３Ｌ，１３Ｒを固定するように構成したので、着座部位が深く凹んだ、座り心地のよい便座部２０を形成するように、中央部よりも端部が高くなるように傾斜が付き且つ端部よりも中央部の幅が厚くなるように、夫々胴部１１の内側に折り込んだ状態が安定する。
この点について、さらに詳述する。左右の天板１３Ｌ，１３Ｒと左右の外側板１１Ｌ，１１Ｒの上側の一部を中央部で２つに切り離し、中央部よりも端部が高くなるように傾斜が付き且つ端部よりも中央部の幅が厚くなるように、夫々胴部１１の内側に折り込んだとき、左右の天板１３Ｌ，１３Ｒは、図7に示すように、左右の外側板１１Ｌ，１１Ｒに対し、端部から中央部に向かうにしたがって左右の外側板１１Ｌ，１１Ｒから離れる向きに傾斜し、左右の天板１３Ｌ，１３Ｒの間隔は、左右の天板１３Ｌ，１３Ｒと左右の外側板１１Ｌ，１１Ｒの上側の一部を切り離さずに、左右の天板１３Ｌ，１３Ｒを第１の折り目Ｆ１Ｌ，Ｆ１Ｒに沿って胴部１１の内側に折りこんだ場合に比べて狭められる。そして、左右の天板１３Ｌ，１３Ｒの間隔が狭められた状態で、前後の天板１３Ｆ，１３Ｂを夫々胴部１１の内側に折り込むと、両側の辺縁部１３ＦＥ，１３ＢＥが、左右の天板１３Ｌ，１３Ｒをより強い力で圧接するようになる。その結果、左右の天板１３Ｌ，１３Ｒが強く固定され、着座部位が深く凹んだ、座り心地のよい便座部２０を形成するように、胴部１１の内側に折り込んだ状態が安定する。
しかも、本実施形態の収納箱兼用簡易トイレによれば、左右の天板１３Ｌ，１３Ｒの夫々における両端部に、左右の外側板１１Ｌ，１１Ｒと前後の外側板１１Ｆ，１１Ｂとの境界線に沿って折り曲げ可能な第４の折り目Ｆ４ＬＦ，Ｆ４ＬＢ，Ｆ４ＲＦ，Ｆ４ＲＢを形成したので、左右の天板１３Ｌ，１３Ｒを胴部１１の内側へ折り込んだときに、第４の折り目Ｆ４ＬＦ，Ｆ４ＬＢ，Ｆ４ＲＦ，Ｆ４ＲＢで左右の外側板１１Ｌ，１１Ｒと前後の外側板１１Ｆ，１１Ｂとの境界線に沿って折り曲げることで、左右の天板１３Ｌ，１３Ｒの夫々における両端部の前後の天板１３Ｆ，１３Ｂとの干渉を回避でき、左右の天板１３Ｌ，１３Ｒを胴部１１の内側へ折り込み易くなるとともに、胴部１１の内側へ折り込まれた前後の天板１３Ｆ，１３Ｂが、左右の外側板１１Ｌ，１１Ｒと前後の外側板１１Ｆ，１１Ｂとの境界線に沿って折り曲げられた左右の天板１３Ｌ，１３Ｒの夫々における両端部の面を、前後の外側板１１Ｆ，１１Ｂとで挟むことで、左右の天板１３Ｌ，１３Ｒの夫々における両端部の面が前後の天板１３Ｆ，１３Ｂで保持される。このため、前後の天板１３Ｆ，１３Ｂの両側の辺縁部１３ＦＥ，１３ＢＥによって胴部１１の内側に折り込まれた左右の天板１３Ｌ，１３Ｒが固定されるのと相俟って、より一層、着座部位が深く凹んだ、座り心地のよい便座部２０を形成するように、中央部よりも端部が高くなるように傾斜が付き且つ端部よりも中央部の幅が厚くなるように、夫々胴部の内側に折り込んだ状態を安定させることができる。
その結果、本実施形態の収納箱兼用簡易トイレによれば、内部に物資を収容し、保管、輸送に適した収納箱としての形態と、用便を行うためのトイレとしての形態とに変更でき、且つ、トイレとしての形態で使用する際に、座り心地を良くすることが可能で、しかも、座り心地の良い状態を安定的に維持可能となる。
【００３４】
以上、本発明の実施形態を説明したが、本発明の収納箱兼用簡易トイレは、上記実施形態の構成に限定されるものではない。
例えば、第１実施形態の収納箱兼用簡易トイレでは、１組の便座パーツ２１を夫々別体に形成したが、便座パーツ２１における本体部２１ａのＵ字形状の先端同士を折り曲げ可能な折り目を備えて一体的に形成してもよい。
【００３５】
また、例えば、便座パーツ２１における本体部２１ａのＵ字形状の先端部の幅が細くなるように形成してもよい。このようにすれば、便座パーツ２１の挿し込み部２１ｂを、左右の外側板１３Ｌ，１３Ｒに形成された挿し込み穴ＨＬＦ，ＨＬＢ，ＨＲＦ，ＨＲＢに挿し込んで、便座パーツ２１を台座部１５に装着するとき、便座パーツ２１の台座部１５における密着度が向上し、台座部１５への便座パーツの装着強度が向上する。
【産業上の利用可能性】
【００３６】
本発明の収納箱兼用簡易トイレは、震災等の災害時に使用する以外にも、キャンプ施設等、臨時的にトイレ使用が必要となるあらゆる用途の簡易トイレとして有用である。また、日常的に使用されている段ボール製の収納箱を本発明の収納箱兼用簡易トイレの構成を備えた構造にすれば、災害時における使用が必要となる簡易トイレの備蓄を意識することなく、いつでも容易に簡易トイレが得られるため、本発明の有用性は非常に高い。
【符号の説明】
【００３７】
１０          箱本体部
１１          胴部
１１Ｆ        前側の側板
１１Ｂ        後側の側板
１１Ｌ        左側の側板
１１Ｒ        右側の側板
１１Ｘ        接合部
１２          底部
１３          天板
１３Ｆ        前側の天板
１３ＦＥ、１３ＢＥ        辺縁部
１３Ｂ        後側の天板
１３Ｌ        左側の天板
１３Ｒ        右側の天板
１５          台座部
２０          便座部
２１          便座パーツ
２１ａ        便座本体部
２１ｂ        挿し込み部
２１ｃ        側部
Ｆ１Ｆ、Ｆ１Ｂ、Ｆ１Ｌ，Ｆ１Ｒ                第１の折り目
Ｆ２ＬＦ、Ｆ２ＬＢ、Ｆ２ＲＦ、Ｆ２ＲＢ        第２の折り目
Ｆ３Ｆ、Ｆ３Ｂ                                第３の折り目
Ｆ４ＬＦ，Ｆ４ＬＢ，Ｆ４ＲＦ、Ｆ４ＲＢ        第４の折り目
ＨＬＦ、ＨＬＢ、ＨＲＦ、ＨＲＢ                挿し込み穴
Ｍ１Ｌ、Ｍ１Ｒ                                第１のミシン目
Ｍ２Ｌ，Ｍ２Ｒ                                第２のミシン目
５１          胴部
５２          底部
５３Ｌ、５３Ｒ        天板
５３Ｆ、５３Ｂ        天板フラップ
５３Ｆ１、５３Ｂ１    差込片
５３Ｆ２      突片
６１          本体
６２          孔
６３ａ、６３ｂ        蓋体
６４ａ、６４ｂ        便座壁
７０Ｌ、７０Ｒ、７１Ｌ、７１Ｒ        前後一対の側壁
７２Ｌ、７２Ｌ        左右一対の側壁
７３          胴体
７４Ｌ、７４Ｒ        便座形成パネル
【要約】      （修正有）【課題】物資の収容、保管、輸送に適した収納箱とトイレとに形態変更でき、トイレ使用の際に座り心地良い状態を安定的に維持可能な紙製収納箱兼用簡易トイレ及びそのセットの提供。【解決手段】胴部１１Ｆ、１１Ｒと底部と前後左右の板とを備えた箱本体部と、箱本体部とは別体の便座用パーツ２１とを有し、トイレ形態は、台座部１５と、その上に装着された便座部２０とで形成され、台座部は、左右の天板と左右の外側板の上側の一部が、中央部で２つに切り離され、中央部よりも端部が高くなる傾斜が付き且つ端部よりも中央部の幅が厚くなるように胴部の内側に折り込まれ、前後の天板が胴部の内側に折り込まれて、両側の辺縁部を介して左右の天板を固定し、便座部は、便座用パーツの便座本体部２１ａが台座部の上に載置され、挿し込み部２１ｂを左右の外側板に形成された挿し込み穴ＨＲＦ，ＨＲＢに挿し込むように構成されている。【選択図】図１【図１】
0005984234.tif 000002
【図２】
0005984234.tif 000003
【図３】
0005984234.tif 000004
【図４】
0005984234.tif 000005
【図５】
0005984234.tif 000006
【図６】
0005984234.tif 000007
【図７】
0005984234.tif 000008
【図８】
0005984234.tif 000009
【図９】
0005984234.tif 000010
【図１０】
0005984234.tif 000011